【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
複数の受信装置に放送されるビデオ・コンテンツおよびビデオ・サービスを信号伝達する方法であり、前記コンテンツがトランスポート・ストリームのトランスポート・パケットにおいて伝送されるデータ・パケットに符号化され、前記トランスポート・ストリームが信号伝達ストリームと関連付けられる方法であって、
前記ビデオ・コンテンツまたはビデオ・サービスのそれぞれに関連する一意識別子を前記信号伝達ストリームに挿入するステップと、
前記一意識別子を、前記トランスポート・ストリームの少なくとも１つのトランスポート・パケットに挿入するステップであり、前記トランスポート・パケットが、前記一意識別子に対応する前記符号化されたビデオ・コンテンツまたはビデオ・サービスの少なくとも１つのデータ・パケットを含むステップとを含むことを特徴とする、前記方法。
【請求項２】
前記ビデオ・コンテンツまたはビデオ・サービスのそれぞれに関連する前記一意識別子が、
前記ビデオ・コンテンツまたはビデオ・サービスのタイトル、ならびに
前記ビデオ・コンテンツまたはビデオ・サービスの日付および理論的連続放送時間
のうちのある特徴から導出されることを特徴とする、請求項１に記載の方法。
【請求項３】
前記一意識別子が、少なくとも１つのデータ・パケットを含む前記トランスポート・ストリームの少なくとも１つのＥＳトランスポート・パケットに挿入され、メインＥＳトランスポート・パケットと呼ばれる前記ＥＳトランスポート・パケットが、ＭＰＥＧ規格に準拠するストリーム中で決定されるＰＩＤによって識別されることを特徴とする、請求項１または２に記載の方法。
【請求項４】
メインＥＳトランスポート・パケットのデータ・パケットが体系的に復号されることを特徴とする、請求項３に記載の方法。
【請求項５】
前記ビデオ・コンテンツまたはビデオ・サービスのそれぞれに関連する前記一意識別子が、ＩＰトランスポート・ストリームのＲＴＳパケットの拡張フィールドに挿入されることを特徴とする、請求項１から４の何れか一項に記載の方法。
【請求項６】
前記ビデオ・コンテンツまたはビデオ・サービスのそれぞれに関連する前記一意識別子が、私用データとして、ＭＰＥＧ２−ＴＳトランスポート・ストリームのトランスポート・パケットのアダプテーション・フィールドに挿入されることを特徴とする、請求項１から４の何れか一項に記載の方法。
【請求項７】
複数の受信装置に放送されるビデオ・コンテンツおよびビデオ・サービスを記録する方法であり、前記コンテンツがトランスポート・ストリームのトランスポート・パケットにおいて伝送されるデータ・パケットに符号化され、前記トランスポート・ストリームが信号伝達ストリームと関連付けられる方法であって、
前記信号伝達ストリームを受信するステップと、
前記信号伝達ストリーム中の前記ビデオ・コンテンツまたはビデオ・サービスのそれぞれに関連する一意識別子を検出するステップであり、前記一意識別子が、記録するビデオ・コンテンツまたはビデオ・サービスに対応するステップと、
前記トランスポート・ストリームのトランスポート・パケットにおいて伝送されるデータ・パケットを受信するステップとを含む方法において、
前記トランスポート・ストリームの少なくとも１つのトランスポート・パケット中で前記一意識別子を検出するステップであり、前記トランスポート・パケットが、記録する前記符号化されたビデオ・コンテンツまたはビデオ・サービスの少なくとも１つのデータ・パケットを含むステップと、
前記一意識別子が前記トランスポート・ストリームのトランスポート・パケット中で検出されたときに、前記一意識別子を含み、記録する前記ビデオ・コンテンツまたはビデオ・サービスと関連する前記トランスポート・ストリームの前記トランスポート・パケットに含まれる各データ・パケットを記録するステップとをさらに含むことを特徴とする、前記方法。
【請求項８】
前記記録するステップが、前記トランスポート・ストリームの第２のトランスポート・パケットに含まれるデータ・パケットを記録するステップをさらに含み、前記第２のトランスポート・パケットが、前記一意識別子を含むトランスポート・パケットと関連付けられる、請求項７に記載の方法。
【請求項９】
記録するビデオ・コンテンツまたはビデオ・サービスを選択し、記録する前記ビデオ・コンテンツまたはビデオ・サービスに対応する前記信号伝達ストリームのデータから前記一意識別子を決定するステップをさらに含む、請求項７または８に記載の方法。
【請求項１０】
前記信号伝達ストリームのデータからの前記トランスポート・ストリームのデータ・パケット受信を活動化するステップをさらに含む、請求項７から９の何れか一項に記載の方法。
【請求項１１】
前記一意識別子が、少なくとも１つのデータ・パケットを含む少なくとも１つのＥＳトランスポート・パケットに挿入され、メインＥＳトランスポート・パケットと呼ばれる前記ＥＳトランスポート・パケットが、ＭＰＥＧ規格に準拠するストリーム中で決定されるＰＩＤによって識別されることを特徴とする、請求項７から１０の何れか一項に記載の方法。
【請求項１２】
前記記録するステップが、前記トランスポート・ストリームの第２のトランスポート・パケットに含まれるデータ・パケットを記録するステップをさらに含み、前記第２のトランスポート・パケットが、ＭＰＥＧ規格に準拠するストリームに含まれるＰＭＴテーブルから得られる前記一意識別子を含む、請求項１１に記載の方法。
【請求項１３】
前記ビデオ・コンテンツまたはビデオ・サービスのそれぞれに関連する前記一意識別子が、ＩＰトランスポート・ストリームのＲＴＳパケットの拡張フィールドに挿入されることを特徴とする、請求項７から１２の何れか一項に記載の方法。
【請求項１４】
前記ビデオ・コンテンツまたはビデオ・サービスのそれぞれに関連する前記一意識別子が、私用データとして、ＭＰＥＧ２−ＴＳトランスポート・ストリームのパケットのアダプテーション・フィールドに挿入されることを特徴とする、請求項７から１２の何れか一項に記載の方法。
【請求項１５】
複数の受信装置に放送されるビデオ・コンテンツおよびビデオ・サービスの記録装置であり、前記コンテンツがトランスポート・ストリームのトランスポート・パケットにおいて伝送されるデータ・パケットに符号化され、前記トランスポート・ストリームが信号伝達ストリームと関連付けられる記録装置であって、
前記信号伝達ストリームを受信する手段と、
前記信号伝達ストリーム中の前記ビデオ・コンテンツまたはビデオ・サービスのそれぞれに関連する一意識別子を検出する手段であり、前記一意識別子が記録するビデオ・コンテンツまたはビデオ・サービスに対応する手段と、
前記トランスポート・ストリームのトランスポート・パケットにおいて送信されるデータ・パケットを受信する手段とを含む記録装置において、
前記トランスポート・ストリームの少なくとも１つのトランスポート・パケット中で前記一意識別子を検出する手段であり、前記トランスポート・パケットが記録する前記ビデオ・コンテンツまたはビデオ・サービスの少なくとも１つのデータ・パケットを含む手段と、
前記検出された一意識別子を含み、記録する前記ビデオ・コンテンツまたはビデオ・サービスと関連する前記トランスポート・ストリームの前記トランスポート・パケットに含まれる各データ・パケットを記録する手段とをさらに含むことを特徴とする、前記記録装置。
【手続補正２】
【補正対象書類名】明細書
【補正対象項目名】０００５
【補正方法】変更
【補正の内容】
【０００５】
ユーザが不在の場合は、デコーダがイベントを記録することができる。そのために、デコーダは、視聴覚番組を圧縮フォーマットで記憶するハード・ディスクを有している。そのために、デコーダは、例えばＥＰＧに含まれる時間データを用いて、記録の開始および終了をトリガする。
【手続補正３】
【補正対象書類名】明細書
【補正対象項目名】０００６
【補正方法】変更
【補正の内容】
【０００６】
従来技術では、このトリガは、ユーザによってプログラムされたアラームによって、ユーザによって有利に拡張されたＥＰＧの情報を用いてプログラムされたアラームによって、またはイベント時に相対位置とともに同時に伝送される信号によって行われる。
【手続補正４】
【補正対象書類名】明細書
【補正対象項目名】００１３
【補正方法】変更
【補正の内容】
【００１３】
本発明の特定の特徴によれば、ビデオ・コンテンツまたはビデオ・サービスのそれぞれに関連する一意識別子は、ビデオ・コンテンツまたはビデオ・サービスのタイトル、ビデオ・コンテンツまたはビデオ・サービスの連続放送の理論的日付および理論的時間のうちのある特徴から導出される。本発明の特定の特徴によれば、一意識別子（Ｍｉ）は、ＭＰＥＧ規格に準拠するストリーム中で決定されるＰＩＤによって識別されるメインと呼ばれるＥＳデータ・パケットに挿入される。
【手続補正５】
【補正対象書類名】明細書
【補正対象項目名】００１６
【補正方法】変更
【補正の内容】
【００１６】
さらに、本発明は、テレビジョン運営者から複数の受信装置に放送されるビデオ・コンテンツおよびビデオ・サービスの記録手順であって、コンテンツが、信号伝達ストリームと関連するトランスポート・ストリームにおいて伝送されるデータ・パケットに符号化される記録手順に関する。この方法は、信号伝達ストリームを受信する受信ステップと、トランスポート・ストリームで送信されるデータ・パケットを受信する受信ステップと、信号伝達ストリーム中のビデオ・コンテンツまたはビデオ・サービスのそれぞれに関連する一意識別子を検出する検出ステップと、記録するコンテンツと関連するトランスポート・ストリームのパケット中で一意識別子を検出する検出ステップと、記録するコンテンツとともにトランスポート・ストリームの各パケットを記録する記録ステップとを含む。
【手続補正６】
【補正対象書類名】明細書
【補正対象項目名】００２４
【補正方法】変更
【補正の内容】
【００２４】
特定の特徴によれば、一意識別子Ｍｉは、ハッシュ関数で暗号化されたコンテンツのタイトルから導出される。変形形態によれば、一意識別子Ｍｉは、ビデオ・コンテンツの放送の理論的日時から導出される。識別子Ｍｉは、デコーダが受信したデータ・パケットを、コンテンツと関連付けることができる。識別子Ｍｉは、トランスポート・セッションのレベルで、例えばＩＰネットワークを介してＲＴＰパケットで、またはＤＶＢネットワークを介してＭＰＥＧ２−ＴＳのアダプテーション・フィールドで、送信される。一意識別子Ｍｉは、コンテンツの放送と関連するメタデータで送信すると有利である。
【手続補正７】
【補正対象書類名】明細書
【補正対象項目名】００２５
【補正方法】変更
【補正の内容】
【００２５】
一実施例によれば、オーディオ・コンテンツおよびビデオ・コンテンツは、ＭＰＥＧ規格の通信プロトコルに従って符号化される。エレメンタリまたはエレメンタリ・ストリーム（ＥＳ）として知られるパケットは、使用するコーデックの関数によってフォーマットが決まる一意タイプのデータ（ビデオ、オーディオ１またはオーディオ２）を含む。ＭＰＥＧトランスポート・レイヤは、ＥＳパケットのトランスポート・ストリームを規定する。各ＥＳパケットは、ＭＰＥＧ２−ＴＳパケットのヘッダ中にあるそのＰＩＤによって特定される。コンテンツに関する異なるＰＩＤが、サービスに関連するＰＭＴに記述されている。様々なＥＳパケットの中で、メインＥＳパケットが決定される。このメインＥＳパケットは、体系的に復号されるパケットであると有利である。例えば、各ＧＯＰ（Ｇｒｏｕｐ  ｏｆ  Ｐｉｃｔｕｒｅｓ）で始まる第１のパケット、すなわち各イントラ・ピクチャである。